(57)【要約】【課題】  吸水して膨張した時に水に流されることを阻止できるようにする。また、上下に重合される膨張性土嚢同士も連結可能にして、使用時の土嚢間の隙間を無くす。【解決手段】  長方形状の透水性袋１２内に、液体を吸収して膨張する膨張体１３を収納した膨張性土嚢１１であって、上記透水性袋１２の４隅と長辺の中間位置との６箇所に、隣接及び／又は重合する別の膨張性土嚢１１と連結する連結手段１４，１５を設けた膨張性土嚢１１。【選択図】    図２
2005256295.tif 000002
【特許請求の範囲】
【請求項１】
方形状の透水性袋内に、液体を吸収して膨張する膨張体を収納した膨張性土嚢であって、
上記透水性袋の４辺の端部と、４辺のうちの相対向する２辺の中間部とに、隣接及び／又は重合する別の膨張性土嚢と連結する連結手段を設けた
膨張性土嚢。
【請求項２】
長方形状の透水性袋内に、液体を吸収して膨張する膨張体を収納した膨張性土嚢であって、
上記透水性袋の４隅と長辺の中間位置との６箇所に、隣接及び／又は重合する別の膨張性土嚢と連結する連結手段を設けた
膨張性土嚢。
【請求項３】
前記透水性袋の前記４辺の端部又は前記４隅を、隣接する別の透水性袋同士間で連結手段を用いて連結するとともに、
該隣接する透水性袋同士の連結手段と、重合する別の透水性袋における前記２辺の中間部又は前記長辺の中間位置の連結手段とを結合した
請求項１又は２に記載の膨張性土嚢。
【請求項４】
前記連結手段が、透水性袋に結合された紐状体である
請求項１から請求項３のうちのいずれか一項に記載の膨張性土嚢。
【請求項５】
前記透水性袋を麻袋で形成するとともに、
前記連結手段のうちの一部を、麻袋に結合された紐状体で構成し、
その他の連結手段を、麻袋を構成する生地の織り目で構成した
請求項１から請求項３のうちのいずれか一項に記載の膨張性土嚢。
【発明の詳細な説明】
【技術分野】
【０００１】
この発明は、例えば水害発生時に好適に使用できるような膨張性土嚢に関する。
【背景技術】
【０００２】
膨張性土嚢は、吸水ポリマなどの膨張体を麻袋等の透水性袋内に収納して構成したもので、使用前においては軽量コンパクトで、持ち運びにも保管にも便利であるが、水分を吸い、又は水分を吸わせることによって、水を堰き止めることが可能な土嚢へと変化するというものである。
【０００３】
このような膨張性土嚢としては、例えば下記特許文献１に開示されているものがある。
【０００４】
この土嚢は、膨張体としてヤシ殻繊維を使用する。膨張体として吸水ポリマを用いた場合には、使用後はまず乾燥処理し、その後生ごみとして焼却処分しなければならない。しかし上記特許文献１の発明によれば、そのような手間は不要で、埋設するだけでよい。つまり、使用後の処分が容易であるという利点を有する。
【０００５】
ところが、ヤシ殻繊維に吸水させるので、吸水しても吸水ポリマを用いた場合に比して大きな比重は得にくい。このため、侵入してくる水に流される可能性があるので、ヤシ殻繊維とともに、自然石を錘として袋内に収納している。
【０００６】
しかし、自然石を収納しているので、使用前の土嚢の重さも大きさも、吸水ポリマを用いた土嚢に比して、重く、大きくなってしまう難点がある。
【０００７】
これまでに提案されている膨張性土嚢では、使用時に流されるのを阻止し、また土嚢を一つひとつ並べる手間を軽減できるようにするため、隣接する他の土嚢同士を連結するための孔を透水性袋に設けたものがある（下記特許文献２、特許文献３参照）。
【０００８】
しかしこれらの発明は、孔を透水性袋の４隅に設けており、隣接するもの同士を連結するものであるため、積み重なった土嚢同士を連結できない難点がある。このため、使用時に土嚢間に隙間ができるおそれがある。
【０００９】
また孔が形成された構成であるので、使用時にあっては紐等を孔に通す比較的面倒な作業が必要で、急なときに対処し難いという難点もある。
【００１０】
さらに、孔の形成にはハトメ（孔金具）を用いているので、透水性袋が切れやすいという難点がある。
【００１１】
【特許文献１】特開２００２−２７５８５１号公報
【特許文献２】特開２００２−１４２５５７号公報
【特許文献３】特開２００１−１３１９３７号公報
【発明の開示】
【発明が解決しようとする課題】
【００１２】
そこでこの発明は、吸水して膨張した時に水に流されることを阻止できるようにすることを主たる課題とする。また、上下に重合される膨張性土嚢同士も連結可能にして、使用時の土嚢間の隙間を無くすことも課題とする。
【課題を解決するための手段】
【００１３】
そこでこの発明は、方形状の透水性袋内に、液体を吸収して膨張する膨張体を収納した膨張性土嚢であって、上記透水性袋の４辺の端部と、４辺のうちの相対向する２辺の中間部とに、隣接及び／又は重合する別の膨張性土嚢と連結する連結手段を設けた膨張性土嚢であることを特徴とする。
【００１４】
別の手段は、長方形状の透水性袋内に、液体を吸収して膨張する膨張体を収納した膨張性土嚢であって、上記透水性袋の４隅と長辺の中間位置との６箇所に、隣接及び／又は重合する別の膨張性土嚢と連結する連結手段を設けた膨張性土嚢であることを特徴とする。
【００１５】
さらに別の手段は、上記透水性袋の上記４辺の端部又は上記４隅を、隣接する別の透水性袋同士間で連結手段を用いて連結するとともに、該隣接する透水性袋同士の連結手段と、重合する別の透水性袋における上記２辺の中間部又は上記長辺の中間位置の連結手段とを結合した膨張性土嚢であることを特徴とする。
【００１６】
すなわち使用に当たっては、透水性袋に設けた連結手段を用いて、膨張性土嚢同士を連結する。連結は例えば、まず、透水性袋の上記４辺の端部又は上記４隅の連結手段を用いて、隣接する膨張性土嚢同士を連結し、次にこの隣接した膨張性土嚢同士を連結する連結手段と、重合する別の膨張性土嚢における上記２辺の中間部又は上記長辺の中間位置の連結手段とを連結して、膨張性土嚢が膨張した時に相互間の隙間を互いに埋め合うように交互に重ねて行うとよい。
【００１７】
洪水などの発生時に、膨張性土嚢を建物や地下通路への入口などに置くと、膨張性土嚢の膨張体は侵入してくる水を吸収して膨らみ、水を堰き止める。しかも、膨張性土嚢同士は連結手段で連結されていて一体になっているので、嵩も重量も大きく、膨張性土嚢を一つひとつ並べた時とは異なり、水に流されることはない。
【００１８】
透水性袋に設けた連結手段のうち、遊んでいるものがある場合には、適宜の構造物等に結び付けるなどして、膨張性土嚢の位置決めを確実にするとよい。
【００１９】
膨張体が淡水以外の液体、例えば海水や油等を吸うものであれば、水害以外でも使用できる。
【００２０】
上記連結手段は、透水性袋に結び付けられた紐状体で構成するとよい。連結に際しては、紐状体からなる連結手段を結び付ければよいので、孔に紐を通す場合に比して連結作業が簡易迅速に行える。
【００２１】
また、上記透水性袋を麻袋で形成するとともに、前記連結手段のうちの一部を、麻袋に結び付けられる紐状体で構成し、その他の連結手段を、麻袋を構成している生地の織り目で構成するもよい。すなわち、連結に際しては、紐状体からなる連結手段を、隣接又は重合する他の膨張性土嚢における所定位置の織り目（連結手段）に適宜結び付ける。
【発明の効果】
【００２２】
以上のように、この発明によれば、方形状をなす透水性袋における４辺の端部と４辺のうちの相対向する２辺の中間部、又は長方形をなす透水性袋における４隅と長辺の中間位置の、少なくとも６箇所に連結手段を設けたので、隣接する膨張性土嚢同士を連結するほかに、重合する膨張性土嚢同士も連結できる。
【００２３】
このため、多数の膨張性土嚢を三次元的に一体化できるので、水によって流されることを阻止できる。
【００２４】
また、上記透水性袋の上記４辺の端部又は上記４隅を、隣接する別の透水性袋同士間で連結手段を用いて連結するとともに、該隣接する透水性袋同士の連結手段と、重合する別の透水性袋における上記２辺の中間部又は上記長辺の中間位置の連結手段とを結合すると、隣接し重合する膨張性土嚢同士が相互間にできる隙間をたがい埋め合うように交互に積層できるので、隙間をしっかりと塞いで、水の漏れをなくすことができる。しかも、膨張前の膨張性土嚢を予め連結しておけば、隙間の閉塞は自動的に行われる。
【発明を実施するための最良の形態】
【００２５】
この発明を実施するための一形態を、以下図面を用いて説明する。  
図１は、膨張性土嚢１１（以下、土嚢という）の平面図であり、この図に示すように土嚢１１は、透水性を有する長方形状の透水性袋１２と、該透水性袋内に収納された膨張体１３と、上記透水性袋１２に設けられた連結手段としての紐状体１４…とで構成している。
【００２６】
上記透水性袋１２は、内側に水を通す材料であればよく素材等は問わないが、例えば麻袋で構成するとよい。麻袋であると透水性が良好であるとともに、膨張性土嚢同士を重合した時に相互間で高い摩擦抵抗が働いてずれ難い。
【００２７】
上記膨張体１３は、水分を吸って膨張するものであって、例えば吸水ポリマなどの周知の材料が用いられる。
【００２８】
上記紐状体１４は、透水性袋１２の６箇所に結合されるもので、適宜素材の紐で構成される。上記６箇所とは、長方形をなす透水性袋の４隅と、長辺の中間位置であり、紐状体１４の長さ方向の中間部を透水性袋１２の上記所定位置に結合している。
【００２９】
結合は、２つ折りにした紐状体１４の折り返し部側を透水性袋１２の織り目に通して適宜貫通させたのち、ループ状をなす先端部（折り返し部）側に対して、折り返し部とは反対側の端を通して引っ張るだけで容易に行える。また紐状体１４は先端側が２本に別れた状態となるので、紐状体１４同士の結合も自由な結び方で強力に行える。
【００３０】
紐状体１４は別の結び付け方によって結合するも、縫着等の別の手段によって結合するも、紐状体を一体化した小片を縫着等で間接的に結合するもよい。
【００３１】
このように構成した土嚢１１は、建物内や敷地内等への浸水の防止や、土地や道路の余水吸収等のために使用される。
【００３２】
使用に当たっては、使用位置に置くだけでよいが、置いた時に隣接する土嚢同士や重合する土嚢同士を紐状体１４で連結して、複数の土嚢１１を一体化する。
【００３３】
このため、土嚢が膨張すると土嚢を単独で単に並べた場合や、隣接する土嚢同士のみを連結した場合に比して、一体性が高く、また重量が重くなるので、浸入する水に流されたりすることを防止できる。
【００３４】
連結手段としての紐状体１４…を上記６箇所に設けたので、上記一体化は、図２に示したように、一段ずつ互い違いにずらせて行える。すなわち、４隅の紐状体１４…と同一段で隣接する土嚢１１同士を連結するのに用いるとともに、長辺の中間位置の紐状体１４，１４を、下段又は上段に位置して重合する土嚢１１同士間の紐状体に対して連結するのに用いる。
【００３５】
このため、土嚢１１が膨張した時には、土嚢１１間の隙間が自動的に塞がるようにすることができ（図３参照）、浸水防止等の確実な効果が期待できる。
【００３６】
また土嚢１１同士を連結しても余る紐状体１４があれば、例えば杭などの適宜の構造物に対して連結すると、上記流され防止効果をより一層高められる。
【００３７】
さらに、紐状体１４で連結手段を構成しているため、連結手段を孔で構成した場合のような紐を挿通する細かな作業が不要であって、連結作業は簡易迅速に行える。つまり咄嗟の場合でもすぐさま対応できる。
【００３８】
しかもその紐状体１４は、麻袋からなる透水性袋１２の織り目を介して直接結合されているので、ハトメを用いて孔を形成した場合に比して強度が高い。
【００３９】
このような土嚢１１は、不測の災害に備えて、その複数を予め一体化しておくとよい。軽量コンパクト薄型であるので、連結した状態でも、例えば丸めるなどしてコンパクトに保管しておくことができる。
【００４０】
この発明の構成と、上記一形態の構成との対応において、  
この発明の連結手段は、一形態の紐状体１４と織り目１５に対応するも、  
この発明は上記一形態の構成のみに限定されるものではない。
【００４１】
例えば、全ての連結手段を紐状体１４で構成せずともよい。図４、図５はその一例であって、図４の土嚢１１では４隅の連結手段を紐状体１４…で構成し、長辺中間位置の連結手段を、麻袋からなる透水性袋１２を構成する生地の織り目１５で構成している。図５の土嚢１１ではそれとは逆に、４隅の連結手段を生地の織り目１５で構成し、長辺中間位置の連結手段を紐状体１４，１４で構成している。
【００４２】
なお、上記構成と同一部分については同一の符号を付して、詳しい説明を省略している。
【００４３】
このような土嚢１１では、例えば図６に示したように、連結し一体化する。図４の土嚢１１は図６（ａ）に示したように、最下段の土嚢１１では隣接する土嚢１１同士の連結に紐状体１４を用いる。そしてその上段の土嚢１１では、紐状体１４を隣接する土嚢１１同士の連結に用いるとともに、最下段の土嚢１１における長辺中間位置の織り目１５に対しての連結に用いる。同様にして必要な段数重ねられる。
【００４４】
図５の土嚢１１は、図６（ｂ）に示したように、最下段の土嚢１１は並べられるだけであるが、その上段に配置する土嚢１１は、最下段の長辺中間位置の紐状体１４で４隅の織り目１５が隣接方向及び重合方向に連結され、一体化する。同様にして必要な段数重ねられる。
【００４５】
このように構成すれば紐状体１４の使用を少なくすることができ、折りたたんだりした時など取り扱いが容易である。土嚢１１を予め一体化しておく場合に適している。
【００４６】
また、透水性袋１２は長方形のものに限定されることはなく、正方形等であるもよく、透水性袋１２は麻袋以外のもので構成するも、全体的に麻袋で構成しつつも連結手段形成部位近傍など特定部位を別の素材で構成するもよい。
【００４７】
さらに、連結手段は６箇所より多くともよい。例えば、４辺全てに２箇所ずつ連結手段を設けることもできる。
【００４８】
さらにまた、膨張体が吸収する液体は、水（淡水）以外のものであるもよい。例えば海水や油等を吸収する材料であれば、用途を広げることができ、流されない、隙間を自動的に塞げる、といった効果を広く生かすことができる。
【図面の簡単な説明】
【００４９】
【図１】膨張性土嚢の平面図。
【図２】膨張性土嚢の連結状態の斜視図。
【図３】膨張性土嚢の使用状態の斜視図。
【図４】他の例に係る膨張性土嚢の平面図。
【図５】他の例に係る膨張性土嚢の平面図。
【図６】図４、図５の膨張性土嚢の連結状態を示す説明図。
【符号の説明】
【００５０】
１１…膨張性土嚢
１２…透水性袋
１３…膨張体
１４…紐状体
１５…織り目
【図１】
2005256295.tif 000003
【図２】
2005256295.tif 000004
【図３】
2005256295.tif 000005
【図４】
2005256295.tif 000006
【図５】
2005256295.tif 000007
【図６】
2005256295.tif 000008